(57)【要約】      （修正有）【課題】車椅子に採尿バッグの収容袋を取り付けても、採尿バッグが見えにくい採尿バッグ収容袋を提供する。【解決手段】採尿バッグを収容する袋１であって、前記袋は、一方の側部２、他方の側部３、および開口部を有しており、前記一方の側部の上端は、前記他方の側部の上端より下に位置し、前記開口部は前記一方の側部の上端に存在し、前記袋の前記一方の側部または前記他方の側部のうち少なくとも一方に、前記袋を車椅子に取り付けるための取付手段４Ａ、４Ｂ、４Ｃ、４Ｄを有する採尿バッグ収容袋。【選択図】図１
2015128504.tif 000002
【特許請求の範囲】
【請求項１】
採尿バッグを収容する袋であって、
前記袋は、一方の側部、他方の側部、および開口部を有しており、
前記一方の側部の上端は、前記他方の側部の上端より下に位置し、
前記開口部は前記一方の側部の上端に存在し、
前記一方の側部または前記他方の側部のうち少なくとも一方に、前記袋を車椅子に取り付けるための第１の取付手段を有することを特徴とする採尿バッグ収容袋。
【請求項２】
前記開口部を車椅子の座面側に向けて取り付けるものである請求項１に記載の採尿バッグ収容袋。
【請求項３】
前記一方の側部または前記他方の側部のうち少なくとも一方に、採尿バッグを前記袋内に取り付けるための第２の取付手段を有する請求項１または２に記載の採尿バッグ収容袋。
【請求項４】
前記袋の下方に、前記袋を車椅子に取り付けるための第３の取付手段を有する請求項１〜３のいずれかに記載の採尿バッグ収容袋。
【請求項５】
前記第１〜３の取付手段のうち少なくとも一つが、面ファスナーおよび面ファスナーを有するベルトである請求項１〜４のいずれかに記載の採尿バッグ収容袋。
【請求項６】
前記第３の取付手段が、輪状の紐である請求項４または５に記載の採尿バッグ収容袋。
【発明の詳細な説明】
【技術分野】
【０００１】
本発明は、採尿バッグ収容袋に関するものである。
【背景技術】
【０００２】
介護や医療の現場で使用されている採尿バッグは、患者の尿の状態を確認するために、透明な素材で作製されている。そのため、採尿バッグが見舞い訪問者等の目について、恥ずかしい思いをすることが多い。採尿バッグを車椅子に取り付けて移動する際にも、採尿バッグが人目につくため、患者が外への移動を躊躇することがある。このような問題に対して、医療の現場では、採尿バッグを袋に収容する等の対策が講じられている。これまでに採尿バッグを収容する袋として、以下の技術が知られている。
【０００３】
特許文献１には、車椅子のフットガードの位置に収納バッグを設置することにより、車椅子の使用者の腰より下の位置に収納バッグが配置されるので、導尿管を着用しなければならない使用者に対して導尿バッグを収納する好適な収納装置を提供できることが示されている（請求項１、段落００１０、段落００２０）。
【先行技術文献】
【特許文献】
【０００４】
【特許文献１】特開２００１−１７４７８号公報
【発明の概要】
【発明が解決しようとする課題】
【０００５】
しかしながら、車椅子に採尿バッグの収容袋を取り付けると、収容袋の開口部から採尿バッグが見え、患者が恥ずかしい思いをする問題があった。更に、採尿バッグの収容袋の開口部から採尿バッグを出し入れしにくいという問題もあった。
【０００６】
本発明は以上のような課題を考慮してなされたものであり、車椅子に採尿バッグの収容袋を取り付けても、採尿バッグが見えにくい採尿バッグ収容袋を提供することを目的とする。
【課題を解決するための手段】
【０００７】
本発明に係る採尿バッグ収容袋は、一方の側部、他方の側部、および開口部を有しており、前記一方の側部の上端は、前記他方の側部の上端より下に位置し、前記開口部は前記一方の側部の上端に存在し、前記一方の側部または前記他方の側部のうち少なくとも一方に、前記採尿バッグ収容袋を車椅子に取り付けるための第１の取付手段を有することを特徴とする。該構成により、車椅子に採尿バッグ収容袋を取り付けても、前記採尿バッグ収容袋の他方の側部側から開口部が見えにくくなり、収容袋内の採尿バッグを見られる患者の恥ずかしさを軽減することができる。
【０００８】
前記採尿バッグ収容袋は、前記開口部を車椅子の座面側に向けて取り付けることが好ましい。
【０００９】
前記一方の側部または前記他方の側部のうち少なくとも一方に、採尿バッグを前記採尿バッグ収容袋内に取り付けるための第２の取付手段を有することが好ましい。
【００１０】
前記採尿バッグ収容袋の下方に、前記採尿バッグ収容袋を車椅子に取り付けるための第３の取付手段を有することが好ましい。
【００１１】
前記第１〜３の取付手段のうち少なくとも一つは、面ファスナーおよび面ファスナーを有するベルトであることが好ましい。
【００１２】
前記第３の取付手段は、輪状の紐であることが好ましい。
【発明の効果】
【００１３】
本発明に係る採尿バッグ収容袋によれば、一方の側部の上端が、他方の側部の上端より下に位置し、開口部は上記一方の側部の上端に存在するため、車椅子に採尿バッグの収容袋を取り付けても、他方の側部側から開口部が見えにくくなり、収容袋内の採尿バッグを見られる患者の恥ずかしさを軽減することができる。その結果、患者の外出する機会が増え、患者の社会参加の機会を増やすことができる。
【図面の簡単な説明】
【００１４】
【図１】本発明に係る採尿バッグ収容袋の正面図である。
【図２】図１に示した雄型面ファスナー４ｂおよび４ｃと雌型面ファスナー４Ａを接合させた採尿バッグ収容袋の正面図である。
【図３】本発明に係る採尿バッグ収容袋の斜視図である。
【図４】本発明に係る採尿バッグ収容袋の背面図である。
【図５】本発明に係る採尿バッグ収容袋の一実施形態を示す図である。
【図６】本発明に係る採尿バッグ収容袋の一実施形態を示す図である。
【発明を実施するための形態】
【００１５】
本発明に係る採尿バッグ収容袋は、一方の側部、他方の側部、および開口部を有しており、前記一方の側部の上端は、前記他方の側部の上端より下に位置し、前記開口部は前記一方の側部の上端に存在し、前記採尿バッグ収容袋の前記一方の側部または前記他方の側部のうち少なくとも一方に、前記採尿バッグ収容袋を車椅子に取り付けるための第１の取付手段を有している。
【００１６】
本発明に係る採尿バッグ収容袋は、一方の側部の上端が、他方の側部の上端より下に位置することにより、車椅子に採尿バッグの収容袋を取り付けても、他方の側部側から開口部が見えにくくなり、収容袋内の採尿バッグを見られる患者の恥ずかしさを軽減することができる。
【００１７】
図１は、本発明に係る採尿バッグ収容袋１の正面図である。図１に示す採尿バッグ収容袋１の一方の側部２は、他方の側部３と対向する位置に存在する。一方の側部２の上端２Ａは、他方の側部３の上端３Ａより下に位置し、開口部は上端２Ａに存在している。他方の側部３には、採尿バッグ収容袋１を車椅子に取り付けるための第１の取付手段（取付手段４Ａおよび４Ｂ）が存在する。更に、一方の側部２には、採尿バッグを袋内に取り付けるための第２の取付手段（取付手段４Ｃ）が存在している。また、採尿バッグ収容袋１の下方Ｘには、採尿バッグ収容袋１を車椅子に取り付けるための第３の取付手段（取付手段４Ｄ）が存在している。
【００１８】
図１に示すように、採尿バッグ収容袋１の一方の側部２は、他方の側部３と対向する位置に存在する。採尿バッグ収容袋１の下方Ｘおよび側方Ｙにおいて、一方の側部２と他方の側部３は直接接合されている。本発明に係る採尿バッグ収容袋１は、必ずしも一方の側部２と他方の側部３が直接接合されている必要はなく、例えば採尿バッグ収容袋１の側方Ｙにマチを設け、そのマチを介して一方の側部２と他方の側部３を接合しても良い。
【００１９】
図１に示すように、上端２Ａは、上端３Ａより下に位置し、開口部は上端２Ａに存在している。上端２Ａが、上端３Ａより下に位置することにより、他方の側部３側から開口部が見えにくくなり、採尿バッグ収容袋１内の採尿バッグを見られる患者の恥ずかしさを軽減することができる。更に、このような上端２Ａと上端３Ａの高低差Ｈにより、開口部から手を入れやすくなるため、採尿バッグの出し入れが容易になる。また、採尿バッグ収容袋１の開口部を閉鎖すると採尿バッグを出し入れしにくくなるが、該構成では開口部が見えにくくなるため、採尿バッグを隠すために開口部を閉鎖する必要がなく、そのような問題は生じにくい。高低差Ｈが大きい程、開口部が見えにくく、且つ、採尿バッグを出し入れし易くなるため、高低差Ｈは、好ましくは７ｃｍ以上、更に好ましくは１０ｃｍ以上である。高低差Ｈが大きすぎると、採尿バッグ収容袋１が地面と接触する場合があるため、好ましくは１５ｃｍ以下、更に好ましくは１３ｃｍ以下である。
【００２０】
採尿バッグ収容袋１の本体部分（一方の側部２および他方の側部３）の横方向の幅は、大きい程採尿バッグを出し入れし易くなるため、好ましくは３０ｃｍ以上、更に好ましくは３７ｃｍ以上である。横方向の幅が大きすぎると車椅子からはみ出るため、横方向の幅は、好ましくは４２ｃｍ以下、更に好ましくは３９ｃｍ以下である。採尿バッグ収容袋１の一方の側部２の縦方向の長さは、短すぎると採尿バッグが隠れないため、好ましくは２２ｃｍ以上、更に好ましくは３０ｃｍ以上である。縦方向の長さが長すぎると、採尿バッグ収容袋１と地面が接触する場合があるため、好ましくは５０ｃｍ以下、更に好ましくは４０ｃｍ以下である。
【００２１】
採尿バッグ収容袋１の素材は特に限定されないが、例えば、ポリプロピレン、ポリ塩化ビニル、ナイロンといった周知の素材を用いることができる。但し、採尿バッグは通常２０００ｍＬ程度溜尿することができるため、２ｋｇｆ以上の重さに耐えうる素材が好ましい。更に、採尿バッグ収容袋１を車椅子に取り付けた状態で、車椅子を折り畳む場合があるため、柔軟性を有する素材が好ましい。従って、このような耐久性および柔軟性の点から採尿バッグ収容袋１の素材は化学繊維、例えば、ナイロンが好ましい。更に、採尿バッグを隠す観点からは、採尿バッグ収容袋１の素材は着色されていることが好ましい。また、採尿バッグ収容袋１は、採尿バッグを出し入れして汚れやすいため、抗菌素材を含むことが好ましい。
【００２２】
図１に示すように、採尿バッグ収容袋１の他方の側部３には、第１の取付手段（例えば、雌型面ファスナー（取付手段４Ａ）、および雄型面ファスナー４ｂを有するベルト（取付手段４Ｂ））が存在する。取付手段４Ａと取付手段４Ｂを面ファスナー部分で接合することにより、採尿バッグ収容袋１を容易に車椅子のパイプ等（詳細は後述する）に取り付けることができる。このように車椅子への取付手段は、採尿バッグ収容袋１の一方の側部２または他方の側部３のうち少なくとも一方に存在していれば良く、他方の側部３に存在していることが好ましい。車椅子への取り付けの安定性を向上させる観点からは、一方の側部２および他方の側部３に存在することが、更に好ましい。
【００２３】
車椅子への第１の取付手段（取付手段４Ａおよび４Ｂ）は、採尿バッグ収容袋１を車椅子に取り付けることができれば特に限定されないが、ベルト、紐、面ファスナー等を用いることができる。作業性の観点から、取付手段は、面ファスナーおよび面ファスナーを有するベルトを用いることが好ましい。ベルトの素材は化学繊維、例えば、アクリル等を用いることができる。
【００２４】
取付手段４Ｂの横方向の幅は、車椅子に取り付けることができれば特に限定されないが、小さすぎると取り付けることができないため、好ましくは、２６ｃｍ以上、大きすぎても車椅子に取り付けにくいため、好ましくは４０ｃｍ以下である。雄型面ファスナー４ｂの横方向の幅は、大きい方が接合強度が増すため、好ましくは、８ｃｍ以上である。しかし、大きすぎると取付手段４Ｂを外しにくくなるため、好ましくは、１２ｃｍ以下である。
【００２５】
採尿バッグ収容袋１は、一方の側部２または他方の側部３のうち少なくとも一方に、採尿バッグを袋内に取り付けるための第２の取付手段を有することが好ましい。例えば、図１では、採尿バッグ収容袋１の他方の側部３に、雌型面ファスナー（取付手段４Ａ）、および一方の側部２に、雄型面ファスナー４ｃを有するベルト（取付手段４Ｃ）が存在している。採尿バッグには通常持ち手部分が存在しているため、その持ち手部分の穴に取付手段４Ｃを通して、取付手段４Ａと取付手段４Ｃを面ファスナー部分で接合することにより、採尿バッグを採尿バッグ収容袋１内に取り付けることができる。これにより、採尿バッグを採尿バッグ収容袋１内に固定できるため、採尿バッグが袋の外に飛び出しにくくなる。このように一方の側部２および他方の側部３に、採尿バッグを袋内に取り付けるための第２の取付手段が存在することが更に好ましい。採尿バッグを袋内に取り付けるための第２の取付手段は、特に限定されず、フックやボタン等も用いることができる。
【００２６】
採尿バッグ収容袋１は、下方に採尿バッグ収容袋１を車椅子に取り付けるための第３の取付手段を有することが好ましい。例えば、図１では、採尿バッグ収容袋１の下方Ｘに、輪状の紐（取付手段４Ｄ）が存在している。採尿バッグ収容袋１を車椅子に取り付けた際に、採尿バッグ収容袋１が地面と接触する場合があるが、取付手段４Ｄを介して、採尿バッグ収容袋１を車椅子に取り付ければ、下方Ｘが持ち上がり、地面と接触しにくくなる。上記取付手段４Ｄは、特に輪状の紐に限られず、ベルト、紐、面ファスナー、フック等を用いても良い。
【００２７】
図２は、図１の雄型面ファスナー４ｂを有するベルト（取付手段４Ｂ）を折り曲げて、雄型面ファスナー４ｂと雌型面ファスナー（取付手段４Ａ）を接合させた図である。このように取付手段４Ｂを折り曲げて面ファスナー部分で接合させることにより、採尿バッグ収容袋１を容易に車椅子のパイプ等（詳細は後述する）に取り付けることができる。
【００２８】
更に、図２では、雄型面ファスナー４ｃを有するベルト（取付手段４Ｃ）を、雌型面ファスナー（取付手段４Ａ）に、面ファスナー部分で接合させている。採尿バッグの持ち部分の穴に取付手段４Ｃを通して、取付手段４Ａと取付手段４Ｃを面ファスナー部分で接合することにより、採尿バッグ収容袋１内に取り付けることができる。
【００２９】
図３は、図２の採尿バッグ収容袋１の斜視図である。図３に示すとおり、一方の側部２の上端２Ａが、他方の側部３の上端３Ａより下に位置し、上端２Ａに開口部が存在している。このような上端２Ａと上端３Ａの高低差Ｈにより、上端２Ａに存在する開口部から採尿バッグを出し入れし易くなる。
【００３０】
図４は、図２の採尿バッグ収容袋１の背面図である。採尿バッグ収容袋１の、一方の側部２の上端２Ａが、他方の側部３の上端３Ａより下に位置しているため、背面側、即ち他方の側部３側からは上端２Ａに存在する開口部が見えにくくなる。
【００３１】
図５は、本発明に係る採尿バッグ収容袋１の一実施形態を示す図であり、採尿バッグ収容袋１の取り付け位置をわかりやすくするため、車椅子の片側の車輪を省略している。図５では、採尿バッグ収容袋１に採尿バッグが収容されており、開口部を車椅子の座面１３側に向けて、採尿バッグ収容袋１が車椅子に取り付けられている。詳細には、採尿バッグ収容袋１の雄型面ファスナー４ｂを有するベルト（取付手段４Ｂ）を車椅子の座面１３の水平方向のパイプ１０に巻きつけ、雄型面ファスナー４ｂと雌型面ファスナー（取付手段４Ａ）とを接合することにより車椅子に取り付けられている。取り付け箇所は、特に限定されず、車椅子の座面１３近傍で、採尿バッグ収容袋１がずり落ちない箇所に取り付ければ良い。例えば、水平方向のパイプ１０に限られず、水平方向のパイプ１０および垂直方向のパイプ１１、または水平方向のパイプ１０およびフットレストのパイプ１２に巻きつけて取り付けても良い。採尿バッグ収容袋の開口部を見えにくくする観点からは、採尿バッグ収容袋１の開口部を車椅子の座面１３側に向けて車椅子に取り付けることが好ましい。
【００３２】
図６は、本発明に係る採尿バッグ収容袋１の一実施形態を示す図であり、採尿バッグ収容袋１の取り付け位置をわかりやすくするため、車椅子の片側の車輪を省略している。図６は、図５の採尿バッグ収容袋１の輪状の紐（取付手段４Ｄ）に、伸縮可能なキーホルダー（取付手段４Ｅ）を結合し、取付手段４Ｅを車椅子座面１３下のＸ型パイプ１５の下に通し、車椅子の背もたれの背面１４に取付手段４Ｅを取り付けた図である。このように取り付けると、採尿バッグ収容袋１の下方が引き上げられ、採尿バッグ収容袋１の下方が地面と接触しにくくなる。更に、採尿バッグ収容袋１が車椅子座面１３下に配置されるため、採尿バッグ収容袋１自体が車椅子座面１３下に隠れる形になり、採尿バッグ収容袋１の開口部が見えにくくなる。また、採尿バッグ収容袋１が車椅子座面１３下に配置されることにより、車椅子の移動の妨げになりにくく、開口部から雨が進入しにくくなる。
【００３３】
取付手段４Ｅは、車椅子の背もたれの背面１４等、車椅子の座面１３より上に、取り付けることができれば特に限定されないが、作業性の観点から伸縮可能なキーホルダーを用いることが好ましい。
【符号の説明】
【００３４】
１                              採尿バッグ収容袋
２                              一方の側部
３                              他方の側部
４Ａ、４Ｂ、４Ｃ、４Ｄ、４Ｅ    取付手段
【図１】
2015128504.tif 000003
【図２】
2015128504.tif 000004
【図３】
2015128504.tif 000005
【図４】
2015128504.tif 000006
【図５】
2015128504.tif 000007
【図６】
2015128504.tif 000008